(57)【要約】【課題】スマートフォンなどの電子機器において、プライバシーを保護可能な画像を取得して送信可能な構成とする。【解決手段】電子機器において、撮像素子と、開口部の大きさを変化させることで前記撮像素子に入射する光の量を調整する絞り機構と、前記開口部の大きさを制御する絞り制御部と、を備え、前記絞り制御部は、第１撮影モードと第２撮影モードとを切替可能であって、前記第２撮影モードのときには前記開口部を大きくするよう動作する構成とする。【選択図】図３
2019102880.tif 000002
【特許請求の範囲】
【請求項１】
撮像素子と、
開口部の大きさを変化させることで前記撮像素子に入射する光の量を調整する絞り機構と、
前記開口部の大きさを制御する絞り制御部と、を備え、
前記絞り制御部は、第１撮影モードと第２撮影モードとを切替可能であって、前記第２撮影モードのときには前記開口部を大きくする、
電子機器。
【請求項２】
前記第２撮影モードのときに撮影した画像を無線で送信する無線通信部をさらに有する、
請求項１に記載の電子機器。
【請求項３】
前記無線通信部は、所定のＳＮＳに前記画像を送信する、
請求項２に記載の電子機器。
【請求項４】
前記撮像素子は、動画を撮影する、
請求項１から請求項３のいずれか１項に記載の電子機器。
【請求項５】
ユーザによる操作を検出する操作検出部と、
前記操作検出部による検出結果に応じて、撮影する画像または撮影した画像の少なくとも一部を不鮮明にする画像処理を施す画像制御部と、をさらに備える、
請求項１から請求項４のいずれか１項に記載の電子機器。
【請求項６】
撮影した画像を連結させる画像制御部をさらに備え、
前記画像制御部は、撮影した複数の画像を連結させたパノラマ画像を生成する、
請求項１から請求項３のいずれか１項に記載の電子機器。
【請求項７】
撮像素子と、
開口部の大きさを変化させることで前記撮像素子に入射する光の量を調整する絞り機構と、
前記開口部の大きさを制御する絞り制御部と、
撮影した画像を表示する表示部と、
前記表示部に表示する画像を制御する表示制御部と、を備え、
前記絞り制御部は、前記開口部の大きさを変化させながら複数の画像を連続的に撮影するよう開口部を制御し、
前記表示制御部は、前記複数の画像を表示するよう前記表示部を制御する、
電子機器。
【請求項８】
ユーザによる操作に応じて、前記複数の画像のうち、選択された画像のみをメモリに記憶させる画像制御部をさらに備える、
請求項７に記載の電子機器。
【請求項９】
ユーザによる操作に応じて、前記複数の画像のうち、選択された画像を無線で送信する無線通信部をさらに備える、
請求項７に記載の電子機器。
【請求項１０】
請求項１から請求項９のいずれか１項に記載の電子機器を備える通信機器。
【発明の詳細な説明】
【技術分野】
【０００１】
本発明の一態様は、電子機器及び通信機器に関する。
【背景技術】
【０００２】
従来から、カメラを搭載したスマートフォンなどの携帯通信機器がある。近年、このような機器を用いて、ＳＮＳなどで画像を公開するケースが増加しているが、公開の際に、特定の人物や場所を特定されることを避けたいというケースがある。このようなケースに対応するため、ユーザが部分的に画像を黒塗りしたり画像にモザイク処理を施したりして、人物や場所の特定をできなくする機能などを有する場合がある。例えば、特許文献１には、プライバシー度という概念を用いて、プライバシー度が所定の条件を満たすと判定された場合に画像に対して所定の処理を実行する構成が開示されている。
【先行技術文献】
【特許文献】
【０００３】
【特許文献１】特開２０１７−１０８３７４号公報
【発明の概要】
【発明が解決しようとする課題】
【０００４】
しかしながら、従来の構成では、主にユーザ自身が画像における場所を特定して黒塗りしたりモザイク処理を施したりする必要があり、操作が煩雑であった。また、特許文献１に記載の構成では、装置内部での処理が複雑になっていた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子（２４）と、
開口部の大きさを変化させることで前記撮像素子に入射する光の量を調整する絞り機構（２３）と、
前記開口部の大きさを制御する絞り制御部（２１）と、を備え、
前記絞り制御部は、第１撮影モードと第２撮影モードとを切替可能であって、前記第２撮影モードのときには前記開口部を大きくする、
電子機器（１）である。
【０００７】
上記構成の電子機器によれば、例えば、ＳＮＳや他人に公開する目的で撮影する第２撮影モードにおいて、絞り機構の開口部を小さく大きくして被写界深度を浅くすることで特定の被写体以外の背景などをぼかした状態の画像を撮影することができる。これにより、簡易な処理で、撮影対象者または撮影対象物以外の個人情報などが含まれるものを不鮮明にした画像を撮影することができる。
【０００８】
上記電子機器において、好ましくは、
前記第２撮影モードのときに撮影した画像を無線で送信する無線通信部（１６）をさらに有する。
【０００９】
上記構成の電子機器によれば、撮影した画像を、すぐに、簡易な処理で公開することなどが可能となる。
【００１０】
上記電子機器において、好ましくは、
前記無線通信部は、所定のＳＮＳに前記画像を送信する。
【００１１】
上記構成の電子機器によれば、撮影した画像を、すぐに、簡易な処理でＳＮＳに公開することなどが可能となる。
【００１２】
上記電子機器において、好ましくは、
前記撮像素子（２４）は、動画を撮影する。
【００１３】
上記構成の電子機器によれば、静止画とは違って背景に写り込んだ人物や場所などを特定できないようにユーザ自身が加工することが困難な動画において、比較的簡易に周囲の人物や場所を特定できないような画像を取得することができる。
【００１４】
上記電子機器において、好ましくは、
ユーザによる操作を検出する操作検出部（１１、１２）と、
前記操作検出部による検出結果に応じて、撮影する画像または撮影した画像の少なくとも一部を不鮮明にする画像処理を施す画像制御部（１０）と、をさらに備える。
【００１５】
上記構成の電子機器によれば、比較的簡易な操作で、任意の場所を不鮮明にして、背景に写り込んだ人物や場所などを特定できないよう加工することが可能となる。
【００１６】
上記電子機器において、好ましくは、
撮影した画像を連結させる画像制御部（１０）をさらに備え、
前記画像制御部は、撮影した複数の画像を連結させたパノラマ画像を生成する。
【００１７】
上記構成の電子機器によれば、比較的簡易に、個人情報などが写り込むことを抑制した、周囲の広い範囲のパノラマ画像を取得することができる。
【００１８】
本発明の別の手段は、
撮像素子（２４）と、
開口部の大きさを変化させることで前記撮像素子に入射する光の量を調整する絞り機構（２３）と、
前記開口部の大きさを制御する絞り制御部（２１）と、
撮影した画像を表示する表示部（１４）と、
前記表示部に表示する画像を制御する表示制御部（１３）と、を備え、
前記絞り制御部（２１）は、前記開口部の大きさを変化させながら複数の画像を連続的に撮影するよう開口部を制御し、
前記表示制御部（１３）は、前記複数の画像を表示するよう前記表示部を制御する、
電子機器である。
【００１９】
上記構成の電子機器によれば、被写界深度の異なる複数の画像を取得することができるので、特定の被写体以外の背景などを好みに応じて適度にぼかした画像を比較的簡易に取得することができる。
【００２０】
上記電子機器において、好ましくは、
ユーザによる操作に応じて、前記複数の画像のうち、選択された画像のみをメモリ（１５）に記憶させる画像制御部（１０）をさらに備える。
【００２１】
上記構成の電子機器によれば、取得した被写界深度の異なる複数の画像のうち、所望の画像のみを保存することができる。
【００２２】
上記電子機器において、好ましくは、
ユーザによる操作に応じて、前記複数の画像のうち、選択された画像を無線で送信する無線通信部（１６）をさらに備える。
【００２３】
上記構成の電子機器によれば、所望の被写界深度で程度に背景をぼかした画像を、すぐに、簡易な処理で公開することなどが可能となる。
【００２４】
また、本発明は、上記電子機器を搭載した通信機器を含む。
【００２５】
上記構成の通信機器によれば、例えば、簡易な処理で、撮影対象者または撮影対象物以外の個人情報などが含まれるものを解読不能にした画像を撮影可能な構成とすることができる。
【図面の簡単な説明】
【００２６】
【図１】図１は、実施形態のスマートフォンの構成例を示す図である。
【図２】図２は、絞り開口の大きさと撮影画像との関係を示す図である。
【図３】図３は、実施形態のスマートフォンにおける撮影処理を示すフローチャートである。
【図４】図４は、変形例のスマートフォンにおける撮影処理を示すフローチャートである。
【発明を実施するための形態】
【００２７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００２８】
＜１．実施形態＞
本実施形態のスマートフォンは、絞り機構を含むカメラモジュールを備えており、プライベートモードでの撮影時に絞り機構の開口部の大きさを変化させることで、撮影対象の周辺をぼかした画像を取得してＳＮＳ等に送信可能にしている点を特徴のひとつとしている。以下、本実施形態のスマートフォンについて具体的に説明する。
【００２９】
まず、本実施形態においてプライベートモードとは、例えばユーザおよび第三者などのプライバシー保護を目的とした撮影モードである。そのため、プライバシーモードで撮影されると、絞り機構の開口部の大きさを変化させる等によって、ユーザがＳＮＳ等で公開したくない情報が画像から除去される。なお、必ずしも上記目的に限定されるものではなく、絞り機構の開口部の大きさを変化させるなどの処理を行って、画像における所望の部分を不鮮明にする（ぼかす）モードをプライベートモードと呼んでもよい。
【００３０】
一方、本実施形態において通常の撮影モードとは、例えばユーザおよび第三者などのプライバシー保護を目的とはしない撮影モードである。ただし、通常の撮影モードであっても、絞り機構の開口部を変化させて撮影されることもある。
【００３１】
＜スマートフォンの構成例＞
図１は、本実施形態のスマートフォンの構成例を示す図である。図１に示されるように、スマートフォン１は、プロセッサ１０、タッチパネル制御部１１、タッチパネル１２、表示制御部１３、表示部１４、メモリ１５、無線通信部１６、及びカメラモジュール２０を含んで構成される。なお、本実施形態のスマートフォン１は、本発明の「電子機器」及び「通信機器」の一例であって、同様の機能を有するカメラモジュール付きのタブレット機器、及び携帯電話などに置き換えられてもよい。以下、各構成の概要について説明するが、各構成による具体的な動作は後述する。
【００３２】
＜タッチパネル１２＞
タッチパネル１２は、表示部１４の表面に配置されたフィルムなどによって、ユーザが表示部１４に接触した位置、接触したときの圧力などを検出するよう構成される。タッチパネル１２は、検出したユーザによる操作を、操作情報としてタッチパネル制御部１１に出力する。タッチパネル１２は、必ずしもこのようなフィルムなどに限定されるものではなく、ユーザによる接触を検出する他の構成であってもよい。また、表示部１４の表面へのユーザの接触のみでなく、スマートフォン１のその他の部分へのユーザの接触をも検出するよう構成されてもよい。
【００３３】
＜タッチパネル制御部１１＞
タッチパネル制御部１１は、タッチパネル１２から入力された、ユーザによる操作を示す操作情報をプロセッサ１０に出力する。タッチパネル制御部１１は、入力された操作情報に対して所定の情報処理を行った後にプロセッサ１０に出力してもよい。
【００３４】
＜表示部１４＞
表示部１４は、例えば、スマートフォン１と一体に形成された液晶表示装置または有機ＥＬ表示装置などであって、所定の画像をユーザが視認できるよう表示する。表示部１４の表面には、例えばタッチパネル用のフィルム等が配置されており、表示部１４とタッチパネル１２とは一体的に構成される。
【００３５】
＜表示制御部１３＞
表示制御部１３は、プロセッサ１０の制御により動作し、表示部１４を制御して所定の画像を表示させる。
【００３６】
＜メモリ１５＞
メモリ１５は、例えばスマートフォン１に搭載されたフラッシュメモリまたはＨＤＤ（Ｈａｒｄ  Ｄｉｓｋ  Ｄｒｉｖｅ）などの記憶部である。メモリ１５は、プロセッサ１０の制御により、入力された画像データなどのデータを記憶して保持する。メモリ１５は、カメラモジュール２０で撮影した画像のデータ、及びスマートフォン１で使用されるソフトウェア（アプリケーションソフトまたはアプリを含む）等の種々の情報を記憶する。メモリ１５は、内蔵メモリであってもよいし、取り外し可能なフラッシュメモリなどであってもよい。
【００３７】
＜無線通信部１６＞
無線通信部１６は、他の機器と無線でデータの送受信を行う。特に本実施形態では、無線通信部１６は、撮影した画像を無線で送信し、インターネット上のＳＮＳに当該画像をアップロードすることができる。無線通信部１６は、例えば無線ＬＡＮ、４Ｇなどの無線通信回線、Ｂｌｕｅｔｏｏｔｈ（登録商標）、並びに赤外線通信などの無線通信手段でスマートフォン１と他の機器との間でデータを送受信するが、これらの無線通信手段に限定されるものではない。
【００３８】
＜プロセッサ１０＞
プロセッサ１０は、スマートフォン１に搭載されたＣＰＵ（中央演算装置）などの制御装置であって、スマートフォン１の各構成の動作を制御する。なお、プロセッサ１０は、半導体集積回路で形成された演算装置を含むが、これに限定されるものではなく、種々の制御を実行可能なハードウェアもしくはソフトウェア、またはハードウェアとソフトウェアとの組み合わせで構成されてもよい。また、本実施形態では、プロセッサ１０とは別の構成として、スマートフォン１が、タッチパネル制御部１１、表示制御部１３、及びカメラモジュール制御部２１を含む構成を例示しているが、これらの制御部の機能はプロセッサ１０が包含していてもよい。プロセッサ１０の具体的な動作については後述する。
【００３９】
＜カメラモジュール２０＞
カメラモジュール２０は、カメラモジュール制御部２１、羽根駆動部２２、絞り機構２３、及び撮像素子２４を含んで構成される。
【００４０】
＜撮像素子２４＞
撮像素子２４は、被写体からレンズを透過して入射してきた光を受け、電気信号に変換することで画像データを取得する、所謂光電変換素子である。被写体の画像データを取得することを「撮影」と称する。撮像素子２４は、例えば、ＣＣＤまたはＣＭＯＳセンサなどである。本実施形態のスマートフォン１のカメラモジュール２０は、シャッタ装置を有しておらず、撮像素子を制御することで撮影を実行する。撮像素子２４は、カメラモジュール制御部２１の制御により、静止画のみなく、動画を撮影可能である。
【００４１】
＜絞り機構２３＞
絞り機構２３は、羽根の動作に応じて径の大きさを変更可能な開口部を有する。この絞り機構２３の羽根を「絞り羽根」と称することがある。この絞り羽根の縁部が開口部を形成しており、絞り羽根が動作することで開口部の大きさが変化する。絞り機構２３は、開口部の大きさを変化させることで、被写体に対して絞り機構２３よりも後方に配置された撮像素子に入射する光の量を変化させる。この開口部は、絞り開口とも呼ばれる。
【００４２】
なお、絞り機構２３は、絞り開口の大きさを複数段階で調整可能な多段階または無段階の構成であってもよいし、２段階または３段階などで絞り開口の大きさを調整可能な構成であってもよい。
【００４３】
＜羽根駆動部２２＞
羽根駆動部２２は、絞り機構の開口部の大きさを変化させる絞り羽根を駆動する。羽根駆動部２２は、与えられた電力により励磁されて電磁石となるコイルと、永久磁石とを含む電磁アクチュエータである。羽根駆動部２２は、電力が与えられると絞り機構の絞り羽根を駆動し、これによって絞り機構２３の開口部の大きさが変化する。なお、羽根駆動部２２には、コイルとマグネットとを利用したボイス・コイル・モータ（Ｖｏｉｃｅ  Ｃｏｉｌ  Ｍｏｔｏｒ）が利用されてもよい。
【００４４】
＜カメラモジュール制御部２１＞
カメラモジュール制御部２１は、プロセッサ１０からの指示に応じて羽根駆動部２２及び撮像素子２４を制御することで、被写体の撮影を実行する。具体的には、カメラモジュール制御部２１は、プロセッサ１０から撮影指示を受け取ると、まず、羽根駆動部２２を動作させて、絞り機構２３の開口部を所望の大きさに調整する。次に、カメラモジュール制御部２１は、撮像素子２４を制御して被写体を撮影する。カメラモジュール制御部２１は、本発明の「絞り制御部」の一例である。
【００４５】
＜絞り開口の大きさと撮影画像との関係＞
図２は、絞り開口の大きさと撮影画像との関係を示す図である。図に示されるように、絞り開口が最小になっている場合（Ａ）、被写界深度が深くなり、撮影のためにピント（フォーカス）を合わせた被写体のみでなく、その背景の、撮像素子からの距離が被写体とは異なるものに対してもピント（フォーカス）が合うようになる。これにより、被写体のみならず、被写体の背景のものも鮮明に撮影することができる。
【００４６】
一方で、絞り開口の大きさを大きくしていくと（Ｂ１〜Ｂ３）、被写界深度が浅くなっていくため、絞り開口の大きさに応じて、被写体の背景のものにピントが合いづらくなっていく。ピントが合っていない部分は、被写体と比較して、不鮮明で、ぼけた画像となって撮影される。
【００４７】
＜撮影処理の動作＞
次に、本実施形態のスマートフォン１で行われる撮影処理について説明する。図３は、本実施形態のスマートフォン１における撮影処理を示すフローチャートである。
【００４８】
＜Ｓ１００〜Ｓ１１０＞
スマートフォン１をユーザがカメラモードを起動するようタッチパネル１２を操作すると、タッチパネル制御部１１はこの操作情報をプロセッサ１０に出力し、プロセッサ１０はカメラモード起動する（Ｓ１００）。次に、プロセッサ１０は、カメラモジュール制御部２１を介して撮像素子２４を動作させ、被写体の画像の取得を開始する。撮像素子２４で撮影された画像は、リアルタイムでカメラモジュール制御部２１、プロセッサ１０、及び表示制御部１３を介して、表示部１４に表示される（Ｓ１１０）。なお、リアルタイムで表示部１４に表示される画像は、メモリ１５には保存されない。
【００４９】
＜Ｓ１２０＞
次に、プロセッサ１０は、プライベートモードでの撮影を行うか否かを決定するため、表示制御部１３を介して表示部１４に、ユーザに対してプライベートモードでの撮影をするか否かを確認するための表示を行う（Ｓ１２０）。なお、プライベートモードは、本発明における「第２撮影モード」の一例である。プライベートモードではない、通常の撮影モードが、本発明における「第１撮影モード」の一例である。
【００５０】
＜Ｓ１２２、Ｓ１７０＞
ユーザがタッチパネル１２を操作し、プライベートモードでの撮影を行わないことを選択すると（Ｓ１２０でＮ）、スマートフォン１では通常撮影が行われる（Ｓ１２２）。通常撮影の場合、ユーザがタッチパネル１２を操作して撮影実行を指示すると、プロセッサ１０は、カメラモジュール制御部２１を介して、羽根駆動部２２、絞り機構２３、及び撮像素子２４を制御し、被写体の撮影を実行する。撮影された画像は、メモリ１５に保存される。撮影が終了すると、撮影処理が終了する（Ｓ１７０）。
【００５１】
＜Ｓ１２１＞
ユーザがタッチパネル１２を操作し、プライベートモードでの撮影を行うことを選択すると（Ｓ１２０でＹ）、プロセッサ１０は、表示制御部１３を介して表示部１４に、絞り調整用のＧＵＩを表示する（Ｓ１２１）。具体的には、プロセッサ１０は、表示制御部１３を介して、表示部１４に、絞り開口を開くか閉じるかを選択させるための表示を行う。なお、表示部１４には、絞り開口を開くか閉じるかを選択させる表示に代えて、被写界深度を深くするか否かを選択させる表示をしたり、背景画像をぼかすか否かを選択させる表示をしたりしてもよい。
【００５２】
＜Ｓ１３０〜Ｓ１３１＞
ユーザが、絞り開口（絞り羽根）を開く（被写界深度を浅くする）ことを選択すると（Ｓ１３０でＹ）、ユーザによるタッチパネル１２の操作を検出したプロセッサ１０は、カメラモジュール制御部２１を介して羽根駆動部２２を動作させ、絞り羽根によって絞り開口（開口部）を開く動作を行う（Ｓ１３１）。たとえば、図２のＢ３の状態のように絞り機構２３の絞り開口を開くと、被写界深度が浅くなり、被写体以外の背景画像をぼかして撮影することができる。なお、ユーザがプライベートモードを選択していた場合、カメラモジュール制御部２１が自動的に絞り開口を開いて撮影を実行してもよい。これによって被写界深度が浅くなり、被写体の背景などをぼかした画像を撮影することができる。
【００５３】
＜Ｓ１３２＞
一方、ユーザが、絞り開口（絞り羽根）を絞る（開口部の大きさを小さくして被写界深度を深くする）ことを選択すると（Ｓ１３０でＮ）、ユーザによるタッチパネル１２の操作を検出したプロセッサ１０は、カメラモジュール制御部２１を介して羽根駆動部２２を動作させ、絞り羽根によって絞り開口（開口部）を絞る動作を行う（Ｓ１３２）。絞り羽根を絞ると、被写界深度が深くなり、被写体以外の背景画像をぼかすことなく、鮮明に撮影することができる。
【００５４】
なお、ステップＳ１３１およびステップＳ１３２では、ユーザが絞り開口の開き具合を任意に選択できるようにしてもよい。
【００５５】
＜Ｓ１４０＞
絞り機構２３の絞り開口を所定の大きさにしたら、プロセッサ１０は、撮影実行のタイミングをユーザに選択させるため、表示制御部１３を介して表示部１４に、撮影実行ボタンを表示させる。この撮影実行ボタンの表示は、ユーザが撮影実行を選択する（Ｓ１４０）か、またはカメラモードでの撮影が中断されるまで行われる。
【００５６】
＜Ｓ１４１＞
次に、プロセッサ１０は、表示制御部１３を介して表示部１４に撮影した画像をプレビュー表示する（Ｓ１４１）。
【００５７】
＜Ｓ１５０＞
次に、プロセッサ１０は、表示制御部１３を介して表示部１４に、撮影した画像の補正を行うか否かをユーザに選択させるための表示を行う。ユーザが画像補正を行わないことを選択すると（Ｓ１５０でＮ）、Ｓ１６０の処理に移行する。
【００５８】
＜Ｓ１５１〜Ｓ１５２＞
一方、ユーザが、画像補正を行うことを選択すると（Ｓ１５０でＹ）、プロセッサ１０は、表示制御部１３を介して表示部１４に、ユーザに対して、表示されている画像に対してぼかす（画像を不鮮明にする）領域を指定させる表示を行う。ユーザが画像をぼかす領域を指定したら、プロセッサ１０は、指定された領域の画像に対してぼかす処理を行った後のデータを作成する。なお、プロセッサ１０は、画像処理を行う前の画像をメモリ１５に記憶させてもよい。また、このような画像処理は、必ずしも画像をぼかす処理に限定されるものではなく、画像に文字や記号を書き込んだり、部分的に明るさを変更したりする画像処理であってもよい。プロセッサ１０は、画像処理を行った後の画像を、表示制御部１３を介して表示部１４に表示させ、Ｓ１６０の処理に移行する。
【００５９】
なお、他の実施例では、コントラストが閾値より低い領域に対して、コントラストをさらに低下させる処理を自動的に施し、例えば被写体以外をさらにぼかした状態にしてもよい。この場合、上記のようにユーザにより指定された領域に関わらず、プロセッサ１０が画像におけるコントラストを検出し、検出されたコントラストに応じて画像をぼかす（不鮮明にする）処理を施す。
【００６０】
＜Ｓ１６０＞
次に、プロセッサ１０は、表示制御部１３を介して表示部１４に、画像をＳＮＳへアップロードするか否かの確認をするための表示を行う（Ｓ１６０）。ユーザが、ユーザが画像をＳＮＳにアップロード（送信）しない選択をしたら、撮影処理を終了する。一方、ユーザが、画像をＳＮＳにアップロードする選択したら、プロセッサ１０は無線通信部１６から画像データを送信する。
【００６１】
このように、本実施形態のスマートフォン１では、絞り機構２３を備える構成とすることで絞り開口の大きさを制御可能であって、プライベートモードでの撮影の際に、絞り開口を小さくするような制御を行うことができる。そのため、例えば、ＳＮＳや他人に公開する目的で撮影する場合に、絞り機構２３の開口部を小さくして被写界深度を浅くすることで特定の被写体以外の背景などをぼかした状態の画像を撮影することができる。これにより、簡易な処理で、撮影対象者または撮影対象物以外の個人情報などが含まれるものが鮮明にされないようにした画像を撮影することができる。
【００６２】
また、本実施形態のスマートフォン１では、プライベートモードで撮影した画像を無線通信部１６から無線で送信可能な構成としている。これにより、撮影した画像を、すぐに、簡易な処理で公開することなどが可能となる。
【００６３】
また、本実施形態のスマートフォン１では、無線通信部１６を介して、撮影した画像をすぐにＳＮＳに公開することなどが可能となっている。
【００６４】
また、本実施形態のスマートフォン１では、撮像素子２４が動画を撮影可能である。動画は、静止画と異なって背景に写り込んだ人物や場所などを特定できないようにユーザ自身が加工することが困難であるが、本実施形態のスマートフォン１は絞り機構２３を有し被写界深度を調整可能な構成であるため、絞り機構２３の絞り開口を調整することで比較的簡易に周囲の人物や場所を特定できないような画像を取得することが可能である。
【００６５】
＜２．変形例＞
次に、上記実施形態のいくつかの変形例について説明する。以下の変形例の説明では、実施形態と異なる構成及び動作等についてのみの説明を行い、実施形態と同様の内容についてはその説明を省略する。
【００６６】
図４は、本変形例のスマートフォン１における撮影処理を示すフローチャートである。本変形例では、スマートフォン１の構成は実施形態の構成と同様であるが、機能が一部異なっている。
【００６７】
図４のフローチャートでは、実施形態の撮影処理におけるＳ１２１〜Ｓ１４０の処理ステップが、Ｓ１４２の処理ステップに置き換えられている点で、実施形態の動作と異なる。
【００６８】
＜Ｓ１４２＞
具体的には、本実施形態では、ユーザがプライベートモードで撮影することを選択した場合（Ｓ１２０でＹ）、プロセッサ１０は、カメラモジュール制御部２１を介して、自動的に、絞り開口の大きさ（絞り量）を変化させながら複数回の撮影を連続的に実行するよう撮像素子２４、羽根駆動部２２，及び絞り機構２３を制御する（Ｓ１４２）。撮影の回数は任意であるが、絞り開口が最小の状態と最大の状態との双方での撮影を行うことが好ましい。これによって、絞り開口が大きく被写界深度が深い状態で撮影された画像と、絞り開口が小さく被写界深度が浅い状態で撮影された画像とが取得される。
【００６９】
プロセッサ１０は、表示制御部１３を介して表示部１４に、これらの複数の画像をプレビュー表示させるとともに、複数の画像から所望の画像を選択するようユーザに促す内容を表示する。プロセッサ１０は、ユーザにより選択された画像を、メモリ１５に記憶させる。そして、ユーザによる指示があれば、この画像をＳＮＳにアップロードするよう、無線通信部１６を介して画像データを無線送信する（Ｓ１６０）。
【００７０】
本変形例のように動作するスマートフォン１では、カメラモジュール制御部２１が絞り機構２３の開口部の大きさを変化させながら複数の画像を連続的に撮影するよう開口部を制御している。また、表示制御部１３は、これらの複数の画像を表示部１４にプレビュー表示させる。このような構成により、スマートフォン１では、被写界深度の異なる複数の画像を取得することができるので、特定の被写体以外の背景などを、好みに応じて適度にぼかした画像を比較的簡易に取得することができる。
【００７１】
また、本変形例では、ユーザが選択した画像を無線通信部１６が無線送信し、ＳＮＳに画像をアップロードすることなどが可能であるため、所望の被写界深度で程度に背景をぼかした画像を、すぐに、簡易な処理で公開することなどが可能である。
【００７２】
また、上記変形例において、プロセッサ１０は、ユーザにより選択された画像のみをメモリ１５に記憶させ、それ以外の画像を処分する（削除する）よう動作してもよい。この場合、所望の画像のみを残すことができるため、メモリ１５の記憶領域を無駄にすることなく、有効に利用することができる。
【００７３】
別の変形例として、プロセッサ１０は、撮影した複数の画像を連結させてパノラマ画像を生成する機能を有していてもよい。この場合、プロセッサ１０は、表示制御部１３を介して表示部１４に、スマートフォン１の向きを変化させながら撮影を行うよう、ユーザに促す表示を行う。ユーザがスマートフォン１の向きを変化させると、プロセッサ１０は、カメラモジュール２０の動作を制御し、複数の画像を取得させる。複数回の撮影は、一定の時間間隔で行われてもよいし、一部が重複して隙間のないパノラマ画像を取得できるような複数の画像を取得するような制御により行われてもよい。
【００７４】
プロセッサ１０は、撮影された複数の画像を連結させて、所謂パノラマ画像を生成するよう画像処理を行い、生成したパノラマ画像をメモリ１５に記憶させる。
【００７５】
上記のように動作するスマートフォン１では、比較的簡易に、個人情報などが写り込むことを抑制した、周囲の広い範囲のパノラマ画像を取得することができる。
【００７６】
また、別の変形例として、撮像素子２４で取得された画像のコントラストをプロセッサ１０が計測し、コントラストが所定の閾値以上の値を示す場合に、絞り機構２３の絞り開口を大きくするよう制御する構成を採用してもよい。このような構成を採用すると、絞り開口を小さくすると、コントラストが高く被写体の背景が鮮明に撮影されるような場合に、自動的に絞り開口を大きくし、被写体の背景をぼかした画像を自動的に取得する構成とすることが可能となる。特に、プライベートモードでの撮影の際に当該機能を利用することが好ましい。
【００７７】
＜３．補足事項＞
以上、本発明の実施形態及び変形例についての具体的な説明を行った。上記説明は、あくまで一具体例としての構成及び動作の説明であって、本発明の範囲はこれらの実施形態及び変形例に留まらず、当業者が把握可能な範囲にまで広く解釈されるものである。
【００７８】
実施形態では、スマートフォン１を例に挙げて動作を説明していたが、スマートフォン１以外の電子機器または通信機器でも同様のことを実施可能である。ただし、スマートフォンに本発明を適用すると、撮影した画像をそのままＳＮＳに送信したいというニーズに応えられる点で特に好ましい。
【００７９】
また、実施形態では、スマートフォン１は、プロセッサ１０以外の制御部として、タッチパネル制御部１１、表示制御部１３、及びカメラモジュール制御部２１を含んでいたが、これらの制御部は必ずしも個別に必要なものではなく、プロセッサ１０がその機能を併せ持った構成であってもよいし、さらに分割された構成であってもよい。
【００８０】
また、実施形態のカメラモジュール２０は、シャッタ機構を有さない構成であったが、シャッタ機構を有する構成のカメラモジュールを用いることも当然可能である。
【産業上の利用可能性】
【００８１】
本発明は、電子機器及び通信機器などとして好適に適用される。
【符号の説明】
【００８２】
１…スマートフォン
１０…プロセッサ
１１…タッチパネル制御部
１２…タッチパネル
１３…表示制御部
１４…表示部
１５…メモリ
１６…無線通信部
２０…カメラモジュール
２１…カメラモジュール制御部
２２…羽根駆動部
２３…絞り機構
２４…撮像素子
【図１】
2019102880.tif 000003
【図２】
2019102880.tif 000004
【図３】
2019102880.tif 000005
【図４】
2019102880.tif 000006